(57)【特許請求の範囲】
【請求項１】
移動局用のベアラを管理するサービングゲートウェイ装置の第１サービングゲートウェイ装置から第２サービングゲートウェイ装置への変更を伴う該移動局の位置登録処理において、該移動局に対して、該移動局に割り当てるＩＰアドレスに係る情報を通知する通知信号を送信する移動通信方法であって、
前記第２サービングゲートウェイ装置が、パケットデータネットワークゲートウェイ装置との間で前記移動局用の第１ユーザベアラを設定する処理において、該第２サービングゲートウェイ装置に接続されているコアネットワーク装置に対して、所定情報を送信する工程Ａと、
前記コアネットワーク装置が、前記所定情報を受信した場合、前記移動局との間で設定されている制御ベアラを開放することなく保持すると共に、前記第２サービングゲートウェイ装置と該第２サービングゲートウェイ装置配下の無線アクセスネットワーク装置との間で該移動局用の第２ユーザベアラを設定するように要求する設定要求信号を送信する工程Ｂと、
前記第２サービングゲートウェイ装置が、前記第２ユーザベアラを介して、前記移動局に対して、前記通知信号を送信する工程Ｃとを有することを特徴とする移動通信方法。
【請求項２】
前記工程Ｃにおいて、前記第２サービングゲートウェイ装置は、前記第２ユーザベアラを介して、前記移動局に対して、前記パケットデータネットワークゲートウェイ装置から受信した前記通知信号を送信することを特徴とする請求項１に記載の移動通信方法。
【請求項３】
移動局用のベアラを管理するサービングゲートウェイ装置の第１サービングゲートウェイ装置から第２サービングゲートウェイ装置への変更を伴う該移動局の位置登録処理において、該移動局に対して、該移動局に割り当てるＩＰアドレスに係る情報を通知する通知信号を送信する移動通信方法であって、
前記第２サービングゲートウェイ装置が、パケットデータネットワークゲートウェイ装置との間で前記移動局用の第１ユーザベアラを設定する処理において、該第２サービングゲートウェイ装置に接続されているコアネットワーク装置に対して、所定情報を送信する工程Ａと、
前記コアネットワーク装置が、前記所定情報を受信した場合、前記移動局との間で設定されている制御ベアラを開放することなく保持する工程Ｂと、
前記第２サービングゲートウェイ装置が、配下の無線アクセスネットワーク装置との間で前記移動局用の第２ユーザベアラが設定されていない場合に、前記コアネットワーク装置に対して、下りリンクデータ通知信号を送信する工程Ｃと、
前記コアネットワーク装置が、前記下りリンクデータ通知信号を受信した場合、前記第２ユーザベアラを設定するように要求する設定要求信号を送信する工程Ｄと、
前記第２サービングゲートウェイ装置が、前記第２ユーザベアラを介して、前記移動局に対して、前記通知信号を送信する工程Ｅとを有することを特徴とする移動通信方法。
【請求項４】
前記工程Ｅにおいて、前記第２サービングゲートウェイ装置は、前記第２ユーザベアラを介して、前記移動局に対して、前記パケットデータネットワークゲートウェイ装置から受信した前記通知信号を送信することを特徴とする請求項３に記載の移動通信方法。
【発明の詳細な説明】
【技術分野】
【０００１】
本発明は、移動通信方法に関する。
【背景技術】
【０００２】
非特許文献１に記載のＧＴＰ（ＧＰＲＳ  Ｔｕｎｎｅｌｉｎｇ  Ｐｒｏｔｏｃｏｌ）が適用されているＥＰＣ（Ｅｖｏｌｖｅｄ  Ｐａｃｋｅｔ  Ｃｏｒｅ）ネットワークでは、「ＲＡ（Ｒｏｕｔｅｒ  Ａｄｖｅｒｔｉｓｅｍｅｎｔ、ルータ通知信号）」が、Ｐ-ＧＷ（ＰＤＮ-Ｇａｔｅｗａｙ、パケットデータネットワークゲートウェイ装置）から、ＵＥ（Ｕｓｅｒ  Ｅｑｕｉｐｍｅｎｔ、移動局）に通知されるように構成されている。
【０００３】
「ＲＡ」は、ＵＥに割り当てる「ＩＰｖ６  Ｐｒｅｆｉｘ」や、かかる「ＩＰｖ６  Ｐｒｅｆｉｘ」が有効である時間を示す「ｒｏｕｔｅｒ  ｌｉｆｅｔｉｍｅ」や、「ｄｅｆａｕｌｔ  ｇａｔｅｗａｙ情報（パケット転送情報）」を含む。
【０００４】
ＵＥは、定期的に「ＲＡ」を受信することで、ＵＥが保持するＩＰｖ６アドレスの有効性について更新するように構成されている。
【０００５】
すなわち、ＵＥは、「ＲＡ」を受信した場合、かかる「ＲＡ」に含まれる「ｒｏｕｔｅｒ  ｌｉｆｅｔｉｍｅ」に基づいて「Ｒｏｕｔｅｒ  ｌｉｆｅｔｉｍｅ（所定タイマ）」を設定して、かかる「ＲＡ」に含まれる「ｄｅｆａｕｌｔ  ｇａｔｅｗａｙ情報」を保持するように構成されている。
【０００６】
ここで、ＵＥは、かかる「Ｒｏｕｔｅｒ  ｌｉｆｅｔｉｍｅ」が満了するまでに「ＲＡ」を受信した場合には、受信した「ＲＡ」に基づいて、保持するＩＰｖ６アドレスの有効性について更新し、かかる「ｄｅｆａｕｌｔ  ｇａｔｅｗａｙ情報」を更新するように構成されている。
【０００７】
一方、ＵＥは、ＵＥが保持するＩＰｖ６アドレスが有効でないと判断した場合、すなわち、「Ｒｏｕｔｅｒ  ｌｉｆｅｔｉｍｅ」が満了するまでに「ＲＡ」を受信しなかった場合、保持する「ｄｅｆａｕｌｔ  ｇａｔｅｗａｙ情報」を削除するように構成されている。
【０００８】
言い換えると、かかるＵＥは、「ＲＡ」で通知された「Ｒｏｕｔｅｒ  ｌｉｆｅｔｉｍｅ（例えば、１８時間）」が満了するまで、「ｄｅｆａｕｌｔ  ｇａｔｅｗａｙ情報」を保持し、「Ｒｏｕｔｅｒ  ｌｉｆｅｔｉｍｅ」が満了した後に、「ｄｅｆａｕｌｔ  ｇａｔｅｗａｙ情報」を削除するように構成されている。
【０００９】
ここで、「Ｒｏｕｔｅｒ  ｌｉｆｅｔｉｍｅ」は、ＵＥによって保持されるタイマであり、デフォルト値として、「ＭａｘＲｔｒＡｄｖＩｎｔｅｒｖａｌ（ネットワーク側タイマ）」の３倍の時間が定義されている（例えば、非特許文献２参照）。
【００１０】
また、「ＭａｘＲｔｒＡｄｖＩｎｔｅｒｖａｌ」は、移動局ＵＥの接続するＰ-ＧＷによって保持されるタイマ（最大ＲＡ送信間隔）であり、デフォルト値として、「２１６００秒（６時間）」が定義されている（例えば、非特許文献３参照）。
【００１１】
同様に、非特許文献４に記載のＰＭＩＰ（Ｐｒｏｘｙ  Ｍｏｂｉｌｅ  ＩＰ）が適用されているＥＰＣネットワークでは、「ＲＡ」が、Ｓ-ＧＷ（Ｓｅｒｖｉｎｇ  Ｇａｔｅｗａｙ、サービングゲートウェイ装置）から、ＵＥに通知されるように構成されている。
【００１２】
ここで、「ＭａｘＲｔｒＡｄｖＩｎｔｅｒｖａｌ」は、移動局ＵＥの接続するＳ-ＧＷによって保持されるタイマ（最大ＲＡ送信間隔）であり、デフォルト値として、「２１６００秒（６時間）」が定義されている（例えば、非特許文献３参照）。
【００１３】
また、上述のＰＭＩＰが適用されているＥＰＣネットワークにおいて、ＵＥの移動に伴い、ＴＡＵ（Ｔｒａｃｋｉｎｇ  Ａｒｅａ  Ｕｐｄａｔｅ）処理やＲＡＵ（Ｒｏｕｔｉｎｇ  Ａｒｅａ  Ｕｐｄａｔｅ）処理やＨＯ（Ｈａｎｄｏｖｅｒ）処理が実施され、ＵＥ用のベアラを管理するＳ-ＧＷが、Ｓ-ＧＷ＃１からＳ-ＧＷ＃２に変更になった場合、Ｓ-ＧＷ＃２が、ＵＥに対して「ＲＡ」を送信することができるように構成されている。
【先行技術文献】
【非特許文献】
【００１４】
【非特許文献１】３ＧＰＰ  ＴＳ２３.４０１
【非特許文献２】ＲＦＣ４８６１  ６.２.１
【非特許文献３】３ＧＰＰ  ＴＳ２９.０６１
【非特許文献４】３ＧＰＰ  ＴＳ２３.４０２
【発明の概要】
【発明が解決しようとする課題】
【００１５】
図１１に、ＵＥの接続先無線アクセスネットワーク（ＲＡＴ：Ｒａｄｉｏ  Ａｃｃｅｓｓ  Ｔｅｃｈｎｏｌｏｇｙ）をＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）からＥ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に切り替えた場合、ＵＥ用のベアラを管理するＳ-ＧＷのＳ-ＧＷ＃１からＳ-ＧＷ＃２への変更を伴う位置登録処理において、ＵＥに対して「ＲＡ」を送信する動作について示す。
【００１６】
図１１に示すように、ＭＭＥは、ステップＳ１１１において、Ｓ-ＧＷから「Ｃｒｅａｔｅ  Ｓｅｓｓｉｏｎ  Ｒｅｓｐｏｎｓｅ」を受信し、ステップＳ１１５において、ＵＥに対して「ＴＡＵ  Ａｃｃｅｐｔ」を送信した後、或いは、ステップＳ１１７において、ＵＥから「ＴＡＵ  Ｃｏｍｐｌｅｔｅ」を受信した後、ステップＳ１１８において、ＭＭＥとＵＥとの間で設定されているＮＡＳシグナリングコネクションが開放される。
【００１７】
なお、Ｓ-ＧＷ＃２は、ステップＳ１１１ｂにおいて、「ＲＡ」の送信処理を開始し、ステップ１１６において、配下のｅＮＢとの間でＵＥ用のＳ１ベアラ/Ｅ-ＲＡＢ（ＥＵＴＲＡＮ-Ｒａｄｉｏ  Ａｃｃｅｓｓ  Ｂｅａｒｅｒ）が設定されていないため、ＭＭＥに対して、「ＲＡ」を送信することを通知する「Ｄｏｗｎｌｉｎｋ  Ｄａｔａ  Ｎｏｔｉｆｉｃａｔｉｏｎ（下りリンクデータ通知信号）」を送信する。
【００１８】
ここで、ＭＭＥは、かかる「Ｄｏｗｎｌｉｎｋ  Ｄａｔａ  Ｎｏｔｉｆｉｃａｔｉｏｎ」を受信した場合、ステップＳ１１９において、ＭＭＥとＵＥとの間でＮＡＳシグナリングコネクションが設定されていないことを検出し、ステップＳ１２０において、ＵＥ宛ての「Ｐａｇｉｎｇ（ページング信号）」を送信する。
【００１９】
すなわち、従来の移動通信システムでは、ＵＥからのアクセスを契機にＵＥに対して「ＲＡ」を送信するケース、例えば、ＵＥ用のベアラを管理するＳ-ＧＷの変更を伴う位置登録処理を契機にＵＥに対して「ＲＡ」を送信するケースでは、一旦、ＵＥ用のＮＡＳシグナリングコネクションを開放した後、「Ｐａｇｉｎｇ」を送信することによって、再度、ＵＥ用のＮＡＳシグナリングコネクションを設定し、「ＲＡ」の転送に必要なＳ１ベアラ/Ｅ-ＲＡＢを設定するように構成されている。
【００２０】
したがって、ＵＥからのアクセスを契機にＵＥに対して「ＲＡ」を送信する場合、「Ｐａｇｉｎｇ」を誘発することになり、効率的な「ＲＡ」の送信を行うことができないという問題点があった。
【００２１】
そこで、本発明は、上述の課題に鑑みてなされたものであり、ＵＥからのアクセスを契機にＵＥに対して「ＲＡ」を送信する場合における「Ｐａｇｉｎｇ」の誘発を防止し、効率的な「ＲＡ」の送信を行うことを可能とする移動通信方法を提供することを目的とする。
【課題を解決するための手段】
【００２２】
本発明の第１の特徴は、移動局用のベアラを管理するサービングゲートウェイ装置の第１サービングゲートウェイ装置から第２サービングゲートウェイ装置への変更を伴う位置登録処理において、該移動局に対して、該移動局に割り当てるＩＰアドレスに係る情報を通知する通知信号を送信する移動通信方法であって、前記第２サービングゲートウェイ装置が、パケットデータネットワークゲートウェイ装置との間で前記移動局用の第１ユーザベアラを設定する処理において、該第２サービングゲートウェイ装置に接続されているコアネットワーク装置に対して、所定情報を送信する工程Ａと、前記コアネットワーク装置が、前記所定情報を受信した場合、前記移動局との間で設定されている制御ベアラを開放することなく保持すると共に、前記第２サービングゲートウェイ装置と該第２サービングゲートウェイ装置配下の無線アクセスネットワーク装置との間で該移動局用の第２ユーザベアラを設定するように要求する設定要求信号を送信する工程Ｂと、前記第２サービングゲートウェイ装置が、前記第２ユーザベアラを介して、前記移動局に対して、前記通知信号を送信する工程Ｃとを有することを要旨とする。
【００２３】
本発明の第２の特徴は、移動局用のベアラを管理するサービングゲートウェイ装置の第１サービングゲートウェイ装置から第２サービングゲートウェイ装置への変更を伴う位置登録処理において、該移動局に対して、該移動局に割り当てるＩＰアドレスに係る情報を通知する通知信号を送信する移動通信方法であって、前記第２サービングゲートウェイ装置が、パケットデータネットワークゲートウェイ装置との間で前記移動局用の第１ユーザベアラを設定する処理において、該第２サービングゲートウェイ装置に接続されているコアネットワーク装置に対して、所定情報を送信する工程Ａと、前記コアネットワーク装置が、前記所定情報を受信した場合、前記移動局との間で設定されている制御ベアラを開放することなく保持する工程Ｂと、前記第２サービングゲートウェイ装置が、配下の無線アクセスネットワーク装置との間で前記移動局用の第２ユーザベアラが設定されていない場合に、前記コアネットワーク装置に対して、下りリンクデータ通知信号を送信する工程Ｃと、前記コアネットワーク装置が、前記下りリンクデータ通知信号を受信した場合、前記第２ユーザベアラを設定するように要求する設定要求信号を送信する工程Ｄと、前記第２サービングゲートウェイ装置が、前記第２ユーザベアラを介して、前記移動局に対して、前記通知信号を送信する工程Ｅとを有することを要旨とする。
【発明の効果】
【００２４】
以上説明したように、本発明によれば、ＵＥからのアクセスを契機にＵＥに対して「ＲＡ」を送信する場合における「Ｐａｇｉｎｇ」の誘発を防止し、効率的な「ＲＡ」の送信を行うことを可能とする移動通信方法を提供することができる。
【図面の簡単な説明】
【００２５】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の変更例１に係る移動通信システムの動作を示すシーケンス図である。
【図６】本発明の変更例２に係る移動通信システムの動作を示すシーケンス図である。
【図７】本発明の変更例２に係る移動通信システムの動作を示すシーケンス図である。
【図８】本発明の変更例３に係る移動通信システムの動作を示すシーケンス図である。
【図９】本発明の変更例４に係る移動通信システムの動作を示すシーケンス図である。
【図１０】本発明の変更例５に係る移動通信システムの動作を示すシーケンス図である。
【図１１】従来の移動通信システムの動作を示すシーケンス図である。
【発明を実施するための形態】
【００２６】
（本発明の第１の実施形態に係る移動通信システム）
図１乃至図４を参照して、本発明の第１の実施形態に係る移動通信システムについて説明する。
【００２７】
図１に示すように、本実施形態に係る移動通信システムは、ＵＴＲＡＮ/ＧＥＲＡＮ（ＧＳＭ  ＥＤＧＥ  Ｒａｄｉｏ  Ａｃｃｅｓｓ  Ｎｅｔｗｏｒｋ）内の無線アクセスネットワーク装置であるＲＮＣ（無線回線制御局）や、コアネットワーク装置であるＳＧＳＮ（Ｓｅｒｖｉｎｇ  ＧＰＲＳ  Ｓｕｐｐｏｒｔ  Ｎｏｄｅ、パケット交換機）や、Ｅ-ＵＴＡＲＮ内の無線アクセスネットワーク装置であるｅＮＢ（無線基地局）や、コアネットワーク装置であるＭＭＥ（Ｍｏｂｉｌｉｔｙ  Ｍａｎａｇｅｍｅｎｔ  Ｅｎｔｉｔｙ、移動管理ノード）や、Ｓ-ＧＷ＃１や、Ｓ-ＧＷ＃２や、Ｐ-ＧＷや、ＨＳＳ（Ｈｏｍｅ  Ｓｕｂｓｃｒｉｂｅｒ  Ｓｅｒｖｅｒ、加入者管理サーバ）や、ＰＣＲＦ（Ｐｏｌｉｃｙ  ａｎｄ  Ｃｈａｒｇｉｎｇ  Ｒｕｌｅｓ  Ｆｕｎｃｔｉｏｎ）等を具備している。
【００２８】
なお、本実施形態に係る移動通信システムでは、Ｓ-ＧＷ＃２とＰ-ＧＷとの間で、ＰＭＩＰが適用されているものとする
以下、本実施形態では、ＵＥの接続先無線アクセスネットワークをＵＴＲＡＮからＥ-ＵＴＲＡＮに切り替えた場合のＵＥ用のベアラを管理するＳ-ＧＷについてＳ-ＧＷ＃１からＳ-ＧＷ＃２への変更を伴う位置登録処理において、ＵＥに対して「ＲＡ」を送信するケースを例に挙げて説明するが、本発明は、かかるケースに限定されるものではなく、ＵＥの接続先無線アクセスネットワークをＥ-ＵＴＲＡＮからＵＴＲＡＮへの切り替えた場合のＵＥ用のベアラを管理するＳ-ＧＷの変更を伴う位置登録処理や、ＵＴＲＡＮ内或いはＥ-ＵＴＲＡＮ内においてＵＥ用のベアラを管理するＳ-ＧＷの変更を伴う各種処理（ＴＡＵ処理/ＲＡＵ処理/ＨＯ処理等）において、ＵＥに対して「ＲＡ」を送信する様々なケースに適用可能である。
【００２９】
以下、図２乃至図４を参照して、本実施形態に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【００３０】
図３に示すように、ＵＥは、ステップＳ１００１において、ＴＡＵ処理を開始することを決定すると、ステップＳ１００２において、ｅＮＢに対して、「ＴＡＵ  Ｒｅｑｕｅｓｔ」を送信する。
【００３１】
ステップＳ１００３において、ｅＮＢは、ＭＭＥに対して、「ＴＡＵ  Ｒｅｑｕｅｓｔ」を送信する。
【００３２】
ステップＳ１００４において、ＭＭＥは、ＳＧＳＮに対して、「Ｃｏｎｔｅｘｔ  Ｒｅｑｕｅｓｔ」を送信し、ステップＳ１００５において、ＳＧＳＮは、ＭＭＥに対して、「Ｃｏｎｔｅｘｔ  Ｒｅｓｐｏｎｓｅ」を送信する。
【００３３】
ステップＳ１００６において、ＵＥとＭＭＥとＨＳＳとの間で、「Ａｕｔｈｅｎｔｉｃａｔｉｏｎ/Ｓｅｃｕｒｉｔｙ処理」が必要に応じて行われる。
【００３４】
ＭＭＥは、ステップＳ１００７において、ＳＧＳＮに対して、「Ｃｏｎｔｅｘｔ  Ａｃｋｎｏｗｌｅｄｇｅ」を送信し、ステップＳ１００８において、Ｓ-ＧＷ＃２に対して、Ｓ-ＧＷ＃２とＰ-ＧＷとの間でＵＥ用のユーザデータベアラを設定することを要求する「Ｃｒｅａｔｅ  Ｓｅｓｓｉｏｎ  Ｒｅｑｕｅｓｔ」を送信する。
【００３５】
ステップＳ１００８ａにおいて、Ｓ-ＧＷ＃２とＰＣＲＦとの間で、「Ｇａｔｅｗａｙ  Ｃｏｎｔｒｏｌ  Ｓｅｓｓｉｏｎ  Ｅｓｔａｂｌｉｓｈｍｅｎｔ処理」が行われる。
【００３６】
ステップＳ１００９において、Ｓ-ＧＷ＃２は、Ｐ-ＧＷに対して、「Ｐｒｏｘｙ  Ｂｉｎｄｉｎｇ  Ｕｐｄａｔｅ」を送信し、ステップＳ１０１０において、Ｐ-ＧＷは、Ｓ-ＧＷ＃２に対して、「Ｐｒｏｘｙ  Ｂｉｎｄｉｎｇ  Ａｃｋ」を送信する。
【００３７】
Ｓ-ＧＷ＃２は、ステップＳ１０１１において、「Ｄｏｗｎｌｉｎｋ  Ｄａｔａ  Ｐｅｎｄｉｎｇ（所定情報）」を含む「Ｃｒｅａｔｅ  Ｓｅｓｓｉｏｎ  Ｒｅｓｐｏｎｓｅ」を送信し、ステップＳ１０１２ａにおいて、「ＲＡ」の送信処理を開始する。
【００３８】
ここで、「Ｄｏｗｎｌｉｎｋ  Ｄａｔａ  Ｐｅｎｄｉｎｇ」は、「ＲＡ」を送信することを明示的に通知する情報であってもよいし、下りデータの存在を示す情報であってもよい。
【００３９】
ステップＳ１０１３ａにおいて、ＳＧＳＮは、ＲＮＣに対して、「Ｉｕ  Ｒｅｌｅａｓｅ  Ｃｏｍｍａｎｄ」を送信し、ステップＳ１０１３ｂにおいて、ＲＮＣは、ＳＧＳＮに対して、「Ｉｕ  Ｒｅｌｅａｓｅ  Ｃｏｍｐｌｅｔｅ」を送信する。
【００４０】
ステップＳ１０１３ｃにおいて、ＳＧＳＮは、Ｓ-ＧＷ＃１に対して、「Ｄｅｌｅｔｅ  Ｓｅｓｓｉｏｎ  Ｒｅｑｕｅｓｔ」を送信し、ステップＳ１０１３ｄにおいて、Ｓ-ＧＷ＃１は、ＳＧＳＮに対して、「Ｄｅｌｅｔｅ  Ｓｅｓｓｉｏｎ  Ｒｅｓｐｏｎｓｅ」を送信する。
【００４１】
ＭＭＥは、「Ｄｏｗｎｌｉｎｋ  Ｄａｔａ  Ｐｅｎｄｉｎｇ」の受信に応じて、ステップＳ１０１４において、ＵＥ用のＳ１ベアラ/Ｅ-ＲＡＢを設定することを決定する。
【００４２】
ステップＳ１０１５ａにおいて、ＭＭＥは、ＵＥとの間で設定されているＮＡＳシグナリングコネクションを開放することなく保持し、ＵＥに対して、「ＴＡＵ  Ａｃｃｅｐｔ」を含む「Ｓ１-ＡＰ  Ｉｎｉｔｉａｌ  Ｃｏｎｔｅｘｔ  Ｓｅｔｕｐ  Ｒｅｑｕｅｓｔ」を送信する。
【００４３】
ここで、「Ｓ１-ＡＰ  Ｉｎｉｔｉａｌ  Ｃｏｎｔｅｘｔ  Ｓｅｔｕｐ  Ｒｅｑｕｅｓｔ」は、Ｓ-ＧＷ＃２とＳ-ＧＷ＃２配下のｅＮＢとの間でＵＥ用のＳ１ベアラ/Ｅ-ＲＡＢを設定するように要求する信号である。
【００４４】
具体的には、図３に示すように、ステップＳ１０１５ａ１において、ＭＭＥは、ｅＮＢに対して、「ＴＡＵ  Ａｃｃｅｐｔ」を含む「Ｓ１-ＡＰ  Ｉｎｉｔｉａｌ  Ｃｏｎｔｅｘｔ  Ｓｅｔｕｐ  Ｒｅｑｕｅｓｔ」を送信し、ステップＳ１０１５ａ２において、ｅＮＢは、ＵＥに対して、「ＴＡＵ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００４５】
例えば、図４に示すように、「ＴＡＵ  Ａｃｃｅｐｔ」は、「Ｓ１-ＡＰ  Ｉｎｉｔｉａｌ  Ｃｏｎｔｅｘｔ  Ｓｅｔｕｐ  Ｒｅｑｕｅｓｔ」内の情報要素「ＮＡＳ-ＰＤＵ」内に設定される。
【００４６】
図２に戻り、ステップＳ１０１５ｂにおいて、ＵＥは、ＭＭＥに対して、「ＴＡＵ  Ｃｏｍｐｌｅｔｅ」を送信してもよい。なお、かかる「ＴＡＵ  Ｃｏｍｐｌｅｔｅ」の送信は省略されてもよい。
【００４７】
具体的には、図３に示すように、ステップＳ１０１５ｂ１において、ＵＥは、ｅＮＢに対して、「ＴＡＵ  Ｃｏｍｐｌｅｔｅ」を含む「ＲＲＣ  ＵＬ  Ｉｎｆｏｒｍａｔｉｏｎ  Ｔｒａｎｓｆｅｒ」を送信し、ステップＳ１０１５ｂ２において、ｅＮＢは、ＭＭＥに対して、「ＴＡＵ  Ｃｏｍｐｌｅｔｅ」を含む「Ｓ１-ＡＰ  Ｕｐｌｉｎｋ  ＮＡＳ  Ｔｒａｎｓｐｏｒｔ」を送信する。
【００４８】
なお、ステップＳ１０１２ｂにおいて、Ｓ-ＧＷ＃２は、ｅＮＢとの間でＵＥ用のＳ１ベアラ/Ｅ-ＲＡＢが設定されていない場合に、ＭＭＥに対して、「ＲＡ」を送信することを通知する「Ｄｏｗｎｌｉｎｋ  Ｄａｔａ  Ｎｏｔｉｆｉｃａｔｉｏｎ」を送信してもよい。なお、かかる「Ｄｏｗｎｌｉｎｋ  Ｄａｔａ  Ｎｏｔｉｆｉｃａｔｉｏｎ」の送信は省略されてもよい。
【００４９】
ここで、ＭＭＥは、かかる「Ｄｏｗｎｌｉｎｋ  Ｄａｔａ  Ｎｏｔｉｆｉｃａｔｉｏｎ」を受信しても、特段の動作を実施しない。
【００５０】
ただし、ＭＭＥは、ＵＥとの間で設定されているＮＡＳシグナリングコネクション或いはＳ１ベアラ/Ｅ-ＲＡＢを開放するためのタイマ等が起動している場合には、かかる「Ｄｏｗｎｌｉｎｋ  Ｄａｔａ  Ｎｏｔｉｆｉｃａｔｉｏｎ」を受信した場合に、かかるタイマを停止してもよい。
【００５１】
ステップＳ１０１６において、ＵＥ用のＳ１ベアラ/Ｅ-ＲＡＢを設定する処理が行われる。
【００５２】
具体的には、図３に示すように、ＵＥは、「ＴＡＵ  Ａｃｃｅｐｔ」を含む「ＲＲＣ  Ｃｏｎｎｅｃｔｉｏｎ  Ｒｅｃｏｎｆｉｇｕｒａｔｉｏｎ」を受信すると、ステップ１０１６ａにおいて、ｅＮＢに対して、「ＲＲＣ Ｃｏｎｎｅｃｔｉｏｎ  Ｒｅｃｏｎｆｉｇｕｒａｔｉｏｎ  Ｃｏｍｐｌｅｔｅ」を送信し、ステップＳ１０１６ｂにおいて、ｅＮＢは、ＭＭＥに対して、「Ｓ１-ＡＰ  Ｉｎｉｔｉａｌ  Ｃｏｎｔｅｘｔ  Ｓｅｔｕｐ  Ｒｅｓｐｏｎｓｅ」を送信する。
【００５３】
また、ＭＭＥは、Ｓ-ＧＷ＃２に対して、「Ｍｏｄｉｆｙ  Ｂｅａｒｅｒ  Ｒｅｑｕｅｓｔ」を送信し（不図示）、Ｓ-ＧＷ＃２は、ＭＭＥに対して、「Ｍｏｄｉｆｙ  Ｂｅａｒｅｒ  Ｒｅｓｐｏｎｓｅ」を送信する（不図示）。
【００５４】
この結果、ＵＥ用のＳ１ベアラ/Ｅ-ＲＡＢの設定が完了する。
【００５５】
なお、図２におけるステップＳ１０１５ｂ及びステップＳ１０１６の処理は、図２の順序の通りに実施されてもよいし、並列して実施されてもよい。或いは、ステップＳ１０１６の処理が先に実施され、その後、ステップＳ１０１５ｂの処理が実施されてもよい。
【００５６】
図２に戻り、ステップＳ１０１７において、Ｓ-ＧＷ＃２は、ＵＥに対して、ＵＥ用のＳ１ベアラ/Ｅ-ＲＡＢを介して、「ＲＡ」を送信する。
【００５７】
本実施形態に係る移動通信システムによれば、ＵＥ用のベアラを管理するＳ-ＧＷのＳ-ＧＷ＃１からＳ-ＧＷ＃２への変更を伴う位置登録処理において、ＵＥ用のＮＡＳシグナリングコネクションを開放することなく、「ＲＡ」を送信することができる。
【００５８】
（変更例１）
図５を参照して、本発明の変更例１に係る移動通信システムについて説明する。以下、本変更例１に係る移動通信システムについて、上述の第１の実施形態に係る移動通信システムとの相違点に着目して説明する。
【００５９】
なお、本変更例１に係る移動通信システムでは、上述の第１の実施形態に係る移動通信システムと同様に、Ｓ-ＧＷ＃２とＰ-ＧＷとの間で、ＰＭＩＰが適用されているものとする。
【００６０】
以下、図５を参照して、本変更例１に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【００６１】
図５に示すように、ステップＳ２００１乃至Ｓ２０１３ｄの動作は、図２に示すステップＳ１００１乃至Ｓ１０１３ｄの動作と同一である。
【００６２】
ＭＭＥは、「Ｄｏｗｎｌｉｎｋ  Ｄａｔａ  Ｐｅｎｄｉｎｇ」の受信に応じて、ステップＳ２０１４において、ＵＥとの間で設定されているＮＡＳシグナリングコネクションを開放することなく保持し、ステップＳ１０１２ｂにおいて、Ｓ-ＧＷ＃２から、「Ｄｏｗｎｌｉｎｋ  Ｄａｔａ  Ｎｏｔｉｆｉｃａｔｉｏｎ」を受信すると、ステップＳ１０１５ａにおいて、ＵＥ用のＳ１ベアラ/Ｅ-ＲＡＢを設定することを決定し、ＵＥに対して、「ＴＡＵ  Ａｃｃｅｐｔ」を含む「Ｓ１-ＡＰ  Ｉｎｉｔｉａｌ  Ｃｏｎｔｅｘｔ  Ｓｅｔｕｐ  Ｒｅｑｕｅｓｔ」を送信する。
【００６３】
ここで、Ｓ-ＧＷは、「Ｄｏｗｎｌｉｎｋ  Ｄａｔａ  Ｎｏｔｉｆｉｃａｔｉｏｎ」により、「ＲＡ」の送信に係る通知であることをＭＭＥに対して通知してもよい。
【００６４】
また、ＭＭＥは、「Ｄｏｗｎｌｉｎｋ  Ｄａｔａ  Ｐｅｎｄｉｎｇ」を受信した場合、「Ｄｏｗｎｌｉｎｋ  Ｄａｔａ  Ｎｏｔｉｆｉｃａｔｉｏｎ」の受信を待つタイマを起動してもよい。
【００６５】
ＭＭＥは、かかるタイマが満了するまでに、「Ｄｏｗｎｌｉｎｋ  Ｄａｔａ  Ｎｏｔｉｆｉｃａｔｉｏｎ」を受信できない場合、ステップＳ２０１５ａにおいて、ＵＥに対して、「Ｓ１-ＡＰ  Ｃｏｎｔｅｘｔ  Ｓｅｔｕｐ  Ｒｅｑｕｅｓｔ」を含まない「ＴＡＵ  Ａｃｃｅｐｔ」を送信する。
【００６６】
かかる場合、ＭＭＥは、その後、所定時間、ＮＡＳシグナリングコネクションを保持してもよいし、即座に切断してもよい。
【００６７】
以下、ステップＳ２０１５ａ乃至Ｓ２０１７の動作は、図２に示すステップＳ１０１５ａ乃至Ｓ１０１７の動作と同一である。
【００６８】
（変更例２）
図６及び図７を参照して、本発明の変更例２に係る移動通信システムについて説明する。以下、本変更例２に係る移動通信システムについて、上述の第１の実施形態に係る移動通信システムとの相違点に着目して説明する。
【００６９】
なお、本変更例２に係る移動通信システムでは、上述の第１の実施形態に係る移動通信システムと同様に、Ｓ-ＧＷ＃２とＰ-ＧＷとの間で、ＰＭＩＰが適用されているものとする。
【００７０】
以下、図６及び図７を参照して、本変更例２に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【００７１】
図６に示すように、ステップＳ３００１乃至Ｓ３０１３ｄの動作は、図２に示すステップＳ１００１乃至Ｓ１０１３ｄの動作と同一である。
【００７２】
ＭＭＥは、「Ｄｏｗｎｌｉｎｋ  Ｄａｔａ  Ｐｅｎｄｉｎｇ」の受信に応じて、  ステップＳ３０１４において、ＵＥとの間で設定されているＮＡＳシグナリングコネクションを開放することなく保持し、ステップＳ３０１５ａにおいて、ＵＥに対して、「ＴＡＵ  Ａｃｃｅｐｔ」を送信する。
【００７３】
具体的には、図７に示すように、ステップＳ３０１５ａ１において、ＭＭＥは、ｅＮＢに対して、「ＴＡＵ  Ａｃｃｅｐｔ」を含む「Ｓ１-ＡＰ  Ｄｏｗｎｌｉｎｋ  ＮＡＳ  Ｔｒａｎｓｐｏｒｔ」を送信し、ステップＳ３０１５ａ２において、ｅＮＢは、ＵＥに対して、「ＴＡＵ  Ａｃｃｅｐｔ」を含む「ＲＲＣ  ＤＬ  Ｉｎｆｏｒｍａｔｉｏｎ  Ｔｒａｎｓｆｅｒ」を送信する。
【００７４】
ステップＳ３０１５ｂにおいて、ＵＥは、ＭＭＥに対して、「ＴＡＵ  Ｃｏｍｐｌｅｔｅ」を送信してもよい。なお、かかる「ＴＡＵ  Ｃｏｍｐｌｅｔｅ」の送信は省略されてもよい。
【００７５】
具体的には、図７に示すように、ステップＳ３０１５ｂ１において、ＵＥは、ｅＮＢに対して、「ＴＡＵ  Ｃｏｍｐｌｅｔｅ」を含む「ＲＲＣ  ＵＬ  Ｉｎｆｏｒｍａｔｉｏｎ  Ｔｒａｎｓｆｅｒ」を送信し、ステップＳ３０１５ｂ２において、ｅＮＢは、ＭＭＥに対して、「ＴＡＵ  Ｃｏｍｐｌｅｔｅ」を含む「Ｓ１-ＡＰ  ＵＬ  ＮＡＳ  Ｔｒａｎｓｐｏｒｔ」を送信する。
【００７６】
図６に戻り、ＭＭＥは、ステップＳ３０１２ｂにおいて、Ｓ-ＧＷ＃２から、「ＲＡ」を送信することを通知する「Ｄｏｗｎｌｉｎｋ  Ｄａｔａ  Ｎｏｔｉｆｉｃａｔｉｏｎ」を受信すると、ステップＳ３０１２ｃにおいて、ＵＥ用のＳ１ベアラ/Ｅ-ＲＡＢを設定することを決定し、ｅＮＢに対して、「Ｓ１-ＡＰ  Ｉｎｉｔｉａｌ  Ｃｏｎｔｅｘｔ  Ｓｅｔｕｐ  Ｒｅｑｕｅｓｔ」を送信する。
【００７７】
ステップＳ３０１６において、ＵＥ用のＳ１ベアラ/Ｅ-ＲＡＢを設定する処理が行われる。
【００７８】
具体的には、図７に示すように、ステップＳ３０１２ｃにおいて、ＭＭＥは、ｅＮＢに対して、「Ｓ１-ＡＰ  Ｉｎｉｔｉａｌ  Ｃｏｎｔｅｘｔ  Ｓｅｔｕｐ  Ｒｅｑｕｅｓｔ」を送信し、ステップＳ３０１６ａにおいて、ｅＮＢは、ＵＥに対して、「ＲＲＣ  Ｃｏｎｎｅｃｔｉｏｎ  Ｒｅｃｏｎｆｉｇｕｒａｔｉｏｎ」を送信し、ステップＳ３０１６ｂにおいて、ＵＥは、「ＲＲＣ  Ｃｏｎｎｅｃｔｉｏｎ  Ｒｅｃｏｎｆｉｇｕｒａｔｉｏｎ」の受信に応じて、ｅＮＢに対して、「ＲＲＣ Ｃｏｎｎｅｃｔｉｏｎ  Ｒｅｃｏｎｆｉｇｕｒａｔｉｏｎ  Ｃｏｍｐｌｅｔｅ」を送信し、ステップＳ３０１６ｃにおいて、ｅＮＢは、ＭＭＥに対して、「Ｓ１-ＡＰ  Ｉｎｉｔｉａｌ  Ｃｏｎｔｅｘｔ  Ｓｅｔｕｐ  Ｒｅｓｐｏｎｓｅ」を送信する。
【００７９】
また、ＭＭＥは、Ｓ-ＧＷ＃２に対して、「Ｍｏｄｉｆｙ  Ｂｅａｒｅｒ  Ｒｅｑｕｅｓｔ」を送信し（不図示）、Ｓ-ＧＷ＃２は、ＭＭＥに対して、「Ｍｏｄｉｆｙ  Ｂｅａｒｅｒ  Ｒｅｓｐｏｎｓｅ」を送信する（不図示）。
【００８０】
この結果、ＵＥ用のＳ１ベアラ/Ｅ-ＲＡＢの設定が完了する。
【００８１】
なお、ＭＭＥは、ステップＳ３０１５の処理を実施した後、所定時間内に、ステップＳ３０１２ｂにおいて、「Ｄｏｗｎｌｉｎｋ  Ｄａｔａ  Ｎｏｔｉｆｉｃａｔｉｏｎ」を受信しなかった場合、ＮＡＳシグナリングコネクションを開放してもよい。
【００８２】
（変更例３）
図８を参照して、本発明の変更例３に係る移動通信システムについて説明する。以下、本変更例３に係る移動通信システムについて、上述の第１の実施形態に係る移動通信システムとの相違点に着目して説明する。
【００８３】
なお、本変更例３に係る移動通信システムでは、上述の第１の実施形態に係る移動通信システムと異なり、Ｓ-ＧＷ＃２とＰ-ＧＷとの間で、ＧＴＰが適用されているものとする。
【００８４】
以下、図８を参照して、本変更例３に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【００８５】
図８に示すように、ステップＳ４００１乃至Ｓ４００８の動作は、図２に示すステップＳ１００１乃至Ｓ１００８の動作と同一である。
【００８６】
ステップＳ４００９において、Ｓ-ＧＷ＃２は、Ｐ-ＧＷに対して、「Ｍｏｄｉｆｙ  Ｂｅａｒｅｒ  Ｒｅｑｕｅｓｔ」を送信し、ステップＳ４００９ａにおいて、Ｐ-ＧＷとＰＣＲＦとの間で、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ処理」が行われる。
【００８７】
Ｐ-ＧＷは、ステップＳ４０１０において、Ｓ-ＧＷ＃２に対して、「Ｄｏｗｎｌｉｎｋ  Ｄａｔａ  Ｐｅｎｄｉｎｇ」を含む「Ｍｏｄｉｆｙ  Ｂｅａｒｅｒ  Ｒｅｓｐｏｎｓｅ」を送信し、ステップＳ４０１１ａにおいて、「ＲＡ」の送信処理を開始する。
【００８８】
ステップＳ４０１２において、Ｓ-ＧＷ＃２は、「Ｄｏｗｎｌｉｎｋ  Ｄａｔａ  Ｐｅｎｄｉｎｇ」を含む「Ｃｒｅａｔｅ  Ｓｅｓｓｉｏｎ  Ｒｅｓｐｏｎｓｅ」を送信する。
【００８９】
ステップＳ４０１３ａ乃至Ｓ４０１６の動作は、図２に示すステップＳ１０１３ａ乃至Ｓ１０１６の動作と同一である。
【００９０】
なお、Ｓ-ＧＷ＃２は、ステップＳ４０１１ｂにおいて、Ｐ-ＧＷから「ＲＡ」を受信した場合、ステップＳ４０１１ｃにおいて、ｅＮＢとの間でＵＥ用のＳ１ベアラ/Ｅ-ＲＡＢが設定されていない場合に、ＭＭＥに対して、「ＲＡ」を送信することを通知する「Ｄｏｗｎｌｉｎｋ  Ｄａｔａ  Ｎｏｔｉｆｉｃａｔｉｏｎ」を送信してもよい。なお、かかる「Ｄｏｗｎｌｉｎｋ  Ｄａｔａ  Ｎｏｔｉｆｉｃａｔｉｏｎ」の送信は省略されてもよい。
【００９１】
ここで、ＭＭＥは、かかる「Ｄｏｗｎｌｉｎｋ  Ｄａｔａ  Ｎｏｔｉｆｉｃａｔｉｏｎ」を受信しても、特段の動作を実施しない。
【００９２】
ただし、ＭＭＥは、ＵＥとの間で設定されているＮＡＳシグナリングコネクション或いはＳ１ベアラ/Ｅ-ＲＡＢを開放するためのタイマ等が起動している場合には、かかる「Ｄｏｗｎｌｉｎｋ  Ｄａｔａ  Ｎｏｔｉｆｉｃａｔｉｏｎ」を受信した場合に、かかるタイマを停止してもよい。
【００９３】
ステップＳ４０１７において、Ｓ-ＧＷ＃２は、ＵＥに対して、ＵＥ用のＳ１ベアラ/Ｅ-ＲＡＢを介して、Ｐ-ＧＷから受信した「ＲＡ」を送信する。
【００９４】
（変更例４）
図９を参照して、本発明の変更例４に係る移動通信システムについて説明する。以下、本変更例４に係る移動通信システムについて、上述の変更例３に係る移動通信システムとの相違点に着目して説明する。
【００９５】
なお、本変更例４に係る移動通信システムでは、上述の変更例３に係る移動通信システムと同様に、Ｓ-ＧＷ＃２とＰ-ＧＷとの間で、ＧＴＰが適用されているものとする。
【００９６】
以下、図９を参照して、本変更例４に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【００９７】
図９に示すように、ステップＳ５００１乃至Ｓ５０１３ｄの動作は、図８に示すステップＳ４００１乃至Ｓ４０１３ｄの動作と同一である。
【００９８】
ＭＭＥは、「Ｄｏｗｎｌｉｎｋ  Ｄａｔａ  Ｐｅｎｄｉｎｇ」の受信に応じて、ステップＳ５０１４において、ＵＥとの間で設定されているＮＡＳシグナリングコネクションを開放することなく保持し、ステップＳ５０１１ｃにおいて、Ｓ-ＧＷ＃２から、「Ｄｏｗｎｌｉｎｋ  Ｄａｔａ  Ｎｏｔｉｆｉｃａｔｉｏｎ」を受信すると、ステップＳ５０１５ａにおいて、ＵＥ用のＳ１ベアラ/Ｅ-ＲＡＢを設定することを決定し、ＵＥに対して、「ＴＡＵ  Ａｃｃｅｐｔ」を含む「Ｓ１-ＡＰ  Ｉｎｉｔｉａｌ  Ｃｏｎｔｅｘｔ  Ｓｅｔｕｐ  Ｒｅｑｕｅｓｔ」を送信する。
【００９９】
ここで、Ｓ-ＧＷは、「Ｄｏｗｎｌｉｎｋ  Ｄａｔａ  Ｎｏｔｉｆｉｃａｔｉｏｎ」により、「ＲＡ」送信に係る通知であることをＭＭＥに対して通知してもよい。
【０１００】
また、ＭＭＥは、「Ｄｏｗｎｌｉｎｋ  Ｄａｔａ  Ｐｅｎｄｉｎｇ」を受信した場合、「Ｄｏｗｎｌｉｎｋ  Ｄａｔａ  Ｎｏｔｉｆｉｃａｔｉｏｎ」の受信を待つタイマを起動してもよい。
【０１０１】
ＭＭＥは、かかるタイマが満了するまでに、「Ｄｏｗｎｌｉｎｋ  Ｄａｔａ  Ｎｏｔｉｆｉｃａｔｉｏｎ」を受信できない場合、ステップＳ５０１５ａにおいて、ＵＥに対して、「Ｓ１-ＡＰ  Ｃｏｎｔｅｘｔ  Ｓｅｔｕｐ  Ｒｅｑｕｅｓｔ」を含まない「ＴＡＵ  Ａｃｃｅｐｔ」を送信する。
【０１０２】
かかる場合、ＭＭＥは、その後、所定時間、ＮＡＳシグナリングコネクションを保持してもよいし、即座に切断してもよい。
【０１０３】
以下、ステップＳ５０１５ａ乃至Ｓ５０１７の動作は、図８に示すステップＳ４０１５ａ乃至Ｓ４０１７の動作と同一である。
【０１０４】
（変更例５）
図１０を参照して、本発明の変更例５に係る移動通信システムについて説明する。以下、本変更例５に係る移動通信システムについて、上述の変更例２及び３に係る移動通信システムとの相違点に着目して説明する。
【０１０５】
なお、本変更例５に係る移動通信システムでは、上述の変更例３に係る移動通信システムと同様に、Ｓ-ＧＷ＃２とＰ-ＧＷとの間で、ＧＴＰが適用されているものとする。
【０１０６】
以下、図１０を参照して、本変更例５に係る移動通信システムにおいて、ＵＥ用のベアラを管理するＳ-ＧＷのＳ-ＧＷ＃１からＳ-ＧＷ＃２への変更を伴う位置登録処理においてＵＥに対して「ＲＡ」を送信する動作について説明する。
【０１０７】
図１０に示すように、ステップＳ６００１乃至Ｓ６０１３ｄの動作は、図８に示すステップＳ４００１乃至Ｓ４０１３ｄの動作と同一である。
【０１０８】
ＭＭＥは、「Ｄｏｗｎｌｉｎｋ  Ｄａｔａ  Ｐｅｎｄｉｎｇ」の受信に応じて、  ステップＳ６０１４において、ＵＥとの間で設定されているＮＡＳシグナリングコネクションを開放することなく保持し、ステップＳ６０１５ａにおいて、ＵＥに対して、「ＴＡＵ  Ａｃｃｅｐｔ」を送信する。
【０１０９】
ここで、ステップＳ６０１５ａ及びＳ６０１５ｂの動作は、図６に示すステップＳ３０１５ａ及びＳ３０１５ｂの動作と同一である。
【０１１０】
ＭＭＥは、ステップＳ６０１１ｃにおいて、Ｓ-ＧＷ＃２から、「ＲＡ」を送信することを通知する「Ｄｏｗｎｌｉｎｋ  Ｄａｔａ  Ｎｏｔｉｆｉｃａｔｉｏｎ」を受信すると、ステップＳ６０１１ｄにおいて、ＵＥ用のＳ１ベアラ/Ｅ-ＲＡＢを設定することを決定し、ｅＮＢに対して、「Ｓ１-ＡＰ  Ｉｎｉｔｉａｌ  Ｃｏｎｔｅｘｔ  Ｓｅｔｕｐ  Ｒｅｑｕｅｓｔ」を送信する。
【０１１１】
ステップＳ６０１６において、ＵＥ用のＳ１ベアラ/Ｅ-ＲＡＢを設定する処理が行われる。
【０１１２】
ここで、ステップＳ６０１６及びＳ６０１７の動作は、図６に示すステップＳ３０１６及びＳ３０１７の動作と同一である。
【０１１３】
以上に述べた本実施形態の特徴は、以下のように表現されていてもよい。
【０１１４】
本実施形態の第１の特徴は、ＵＥ（移動局）用のベアラ（例えば、Ｓ１ベアラ/Ｅ-ＲＡＢやユーザデータベアラ）を管理するＳ-ＧＷのＳ-ＧＷ＃１（第１サービングゲートウェイ装置）からＳ-ＧＷ＃２（第２サービングゲートウェイ装置）への変更を伴う位置登録処理において、ＵＥに対して、「ＲＡ（移動局に割り当てるＩＰアドレスに係る情報を通知する通知信号）」を送信する移動通信方法であって、Ｓ-ＧＷ＃２が、Ｐ-ＧＷ（パケットデータネットワークゲートウェイ装置）との間でＵＥ用のユーザデータベアラ（第１ユーザベアラ）を設定する処理において、ＭＭＥ（コアネットワーク装置）に対して、「Ｄｏｗｎｌｉｎｋ  Ｄａｔａ  Ｐｅｎｄｉｎｇ（所定情報）」を送信する工程Ａと、ＭＭＥが、「Ｄｏｗｎｌｉｎｋ  Ｄａｔａ  Ｐｅｎｄｉｎｇ」を受信した場合、ＵＥとの間で設定されているＮＡＳシグナリングコネクション（制御ベアラ）を開放することなく保持すると共に、Ｓ-ＧＷ＃２とＳ-ＧＷ＃２配下のｅＮＢ（無線アクセスネットワーク装置）との間でＵＥ用のＳ１ベアラ/Ｅ-ＲＡＢ（第２ユーザベアラ）を設定するように要求する「Ｓ１-ＡＰ  Ｉｎｉｔｉａｌ  Ｃｏｔｅｘｔ  Ｓｅｔｕｐ  Ｒｅｑｕｅｓｔ（設定要求信号）」を送信する工程Ｂと、Ｓ-ＧＷ＃２が、ＵＥ用のＳ１ベアラ/Ｅ-ＲＡＢを介して、ＵＥに対して、「ＲＡ」を送信する工程Ｃとを有することを要旨とする。
【０１１５】
本実施形態の第１の特徴において、工程Ｃにおいて、Ｓ-ＧＷ＃２は、ＵＥ用のＳ１ベアラ/Ｅ-ＲＡＢを介して、ＵＥに対して、Ｐ-ＧＷから受信した「ＲＡ」を送信してもよい。
【０１１６】
本実施形態の第２の特徴は、ＵＥ用のベアラを管理するＳ-ＧＷのＳ-ＧＷ＃１からＳ-ＧＷ＃２への変更を伴う位置登録処理において、ＵＥに対して、「ＲＡ」を送信する移動通信方法であって、Ｓ-ＧＷ＃２が、Ｐ-ＧＷとの間でＵＥ用のユーザデータベアラを設定する処理において、ＭＭＥに対して、「Ｄｏｗｎｌｉｎｋ  Ｄａｔａ  Ｐｅｎｄｉｎｇ」を送信する工程Ａと、ＭＭＥが、「Ｄｏｗｎｌｉｎｋ  Ｄａｔａ  Ｐｅｎｄｉｎｇ」を受信した場合、ＵＥとの間で設定されているＮＡＳシグナリングコネクションを開放することなく保持する工程Ｂと、Ｓ-ＧＷ＃２が、配下のｅＮＢとの間でＵＥ用のＳ１ベアラ/Ｅ-ＲＡＢが設定されていない場合に、ＭＭＥに対して、「Ｄｏｗｎｌｉｎｋ  Ｄａｔａ  Ｎｏｔｉｆｉｃａｔｉｏｎ（下りリンクデータ通知信号）」を送信する工程Ｃと、ＭＭＥが、「Ｄｏｗｎｌｉｎｋ  Ｄａｔａ  Ｎｏｔｉｆｉｃａｔｉｏｎ」を受信した場合、ＵＥ用のＳ１ベアラ/Ｅ-ＲＡＢを設定するように要求する「Ｓ１-ＡＰ  Ｉｎｉｔｉａｌ  Ｃｏｔｅｘｔ  Ｓｅｔｕｐ  Ｒｅｑｕｅｓｔ」を送信する工程Ｄと、Ｓ-ＧＷ＃２が、ＵＥ用のＳ１ベアラ/Ｅ-ＲＡＢを介して、ＵＥに対して、「ＲＡ」を送信する工程Ｅとを有することを要旨とする。
【０１１７】
本実施形態の第２の特徴において、工程Ｅにおいて、Ｓ-ＧＷ＃２は、ＵＥ用のＳ１ベアラ/Ｅ-ＲＡＢを介して、ＵＥに対して、Ｐ-ＧＷから受信した「ＲＡ」を送信してもよい。
【０１１８】
なお、上述のＵＥやｅＮＢやＲＮＣやＭＭＥやＳＧＳＮやＳ-ＧＷ＃１やＳ-ＧＷ＃２やＰ-ＧＷやＰＣＲＦやＨＳＳ等の動作は、ハードウェアによって実施されてもよいし、プロセッサによって実行されるソフトウェアモジュールによって実施されてもよいし、両者の組み合わせによって実施されてもよい。
【０１１９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＲＮＣやＭＭＥやＳＧＳＮやＳ-ＧＷ＃１やＳ-ＧＷ＃２やＰ-ＧＷやＰＣＲＦやＨＳＳ等内に設けられていてもよい。また、かかる記憶媒体及びプロセッサは、ディスクリートコンポーネントとしてＵＥやｅＮＢやＲＮＣやＭＭＥやＳＧＳＮやＳ-ＧＷ＃１やＳ-ＧＷ＃２やＰ-ＧＷやＰＣＲＦやＨＳＳ等内に設けられていてもよい。
【０１２１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２２】
ＵＥ…移動局
ｅＮＢ…無線基地局
ＲＮＣ…無線回線制御局
ＭＭＥ…移動管理ノード
ＳＧＳＮ…パケット交換機
Ｓ-ＧＷ＃１、Ｓ-ＧＷ＃２…サービングゲートウェイ装置
Ｐ-ＧＷ…パケットデータネットワークゲートウェイ装置
ＰＣＲＦ…ポリシー及び課金ルールサーバ装置
ＨＳＳ…加入者管理サーバ装置
【図１】
0005357913.tif 000002
【図２】
0005357913.tif 000003
【図３】
0005357913.tif 000004
【図４】
0005357913.tif 000005
【図５】
0005357913.tif 000006
【図６】
0005357913.tif 000007
【図７】
0005357913.tif 000008
【図８】
0005357913.tif 000009
【図９】
0005357913.tif 000010
【図１０】
0005357913.tif 000011
【図１１】
0005357913.tif 000012